【手続補正書】
【提出日】平成29年6月13日(2017.6.13)
【手続補正１】
【補正対象書類名】特許請求の範囲
【補正対象項目名】全文
【補正方法】変更
【補正の内容】
【特許請求の範囲】
【請求項１】
同じコードをもつ複数のＧＮＳＳ信号から所望のＧＮＳＳ信号を分離するための方法であって、前記方法は、
モバイルデバイスによって前記複数のＧＮＳＳ信号を受信すること、ここにおいて、前記複数のＧＮＳＳ信号が前記所望のＧＮＳＳ信号を含む、と、
前記受信された複数のＧＮＳＳ信号をダウンコンバートされた信号に処理すること、ここにおいて、前記ダウンコンバートされた信号が前記所望のＧＮＳＳ信号よりも低い周波数を有し、ここにおいて、前記ダウンコンバートされた信号が、非０周波数に関連する第１のチャネルを含む、と、
オフセットされたダウンコンバートされた信号を作成するために前記第１のチャネルの分数に対応するオフセット周波数だけ前記第１のチャネルをオフセットするように、前記ダウンコンバートされた信号を処理することと、
前記オフセット周波数に基づいて前記オフセットされたダウンコンバートされた信号から前記所望のＧＮＳＳ信号を決定することと、
を備える、方法。
【請求項２】
前記決定することは、
前記オフセットされたダウンコンバートされた信号を逆拡散すること、ここにおいて、前記オフセットされたダウンコンバートされた信号が、前記第１のチャネルに関連するエイリアス化信号を含む、と、
前記オフセット周波数に基づいて前記エイリアス化信号をフィルタで除去することによって前記エイリアス化信号を除去することと、
をさらに備える、請求項１に記載の方法。
【請求項３】
前記第１のチャネルが正の周波数であり、前記ダウンコンバートされた信号が０ヘルツまたはその近くを中心とし、前記ダウンコンバートされた信号が、負の周波数に関連する第２のチャネルをさらに含み、前記第１のチャネルをオフセットすることは、前記第１のチャネルの中心が前記第２のチャネルの中心からオフセットされることとなる、請求項２に記載の方法。
【請求項４】
前記第１のチャネルに関連する前記エイリアス化信号の前記中心と、前記第２のチャネルに関連する所望のＧＮＳＳ信号の前記中心とが、前記オフセット周波数に基づいてオフセットされる、請求項３に記載の方法。
【請求項５】
前記第１のチャネルが負の周波数であり、前記ダウンコンバートされた信号が０ヘルツまたはその近くを中心とし、前記ダウンコンバートされた信号が、正の周波数に関連する第２のチャネルをさらに含み、前記第１のチャネルをオフセットすることは、前記第１のチャネルの前記中心が前記第２のチャネルの前記中心からオフセットされることとなる、請求項２に記載の方法。
【請求項６】
前記第１のチャネルに関連する前記エイリアス化信号の前記中心と、前記第２のチャネルに関連する所望のＧＮＳＳ信号の前記中心とが、前記オフセット周波数に基づいてオフセットされる、請求項５に記載の方法。
【請求項７】
前記オフセット周波数だけ前記第１のチャネルをオフセットするための前記ダウンコンバートされた信号の前記処理が、部分的にデジタル信号プロセッサまたは汎用プロセッサによって行われる、請求項１に記載の方法。
【請求項８】
前記オフセット周波数が前記第１のチャネルの１／４である、請求項１に記載の方法。
【請求項９】
前記オフセット周波数が前記第１のチャネルの３／４である、請求項１に記載の方法。
【請求項１０】
前記オフセット周波数が前記第１のチャネルの１／８である、請求項１に記載の方法。
【請求項１１】
Ｎが整数であり、Ｃｈａｎｎｅｌ＿Ｓｐａｃｉｎｇが、前記第１のチャネルに関連するチャネル間隔であり、前記オフセット周波数が
オフセット周波数＝（１／４＋Ｎ＊１／２）＊Ｃｈａｎｎｅｌ＿Ｓｐａｃｉｎｇ
である、請求項１に記載の方法。
【請求項１２】
前記オフセット周波数が、前記第１のチャネルに関連する１／２チャネルの倍数の分数オフセットである、請求項１に記載の方法。
【請求項１３】
同じコードをもつ複数のＧＮＳＳ信号から所望のＧＮＳＳ信号を分離するために、
１つまたは複数のＲＦモジュールによって前記複数のＧＮＳＳ信号を受信すること、ここにおいて、前記複数のＧＮＳＳ信号が前記所望のＧＮＳＳ信号を含む、と、
前記１つまたは複数のＲＦモジュールによって、前記受信された複数のＧＮＳＳ信号をダウンコンバートされた信号に処理すること、ここにおいて、前記ダウンコンバートされた信号が前記所望のＧＮＳＳ信号よりも低い周波数を有し、ここにおいて、前記ダウンコンバートされた信号が、非０周波数に関連する第１のチャネルを含む、と、
１つまたは複数のプロセッサによって、オフセットされたダウンコンバートされた信号を作成するために前記第１のチャネルの分数に対応するオフセット周波数だけ前記第１のチャネルをオフセットするように、前記ダウンコンバートされた信号を処理することと、
前記１つまたは複数のプロセッサによって、前記オフセット周波数に基づいて前記オフセットされたダウンコンバートされた信号から前記所望のＧＮＳＳ信号を決定することと、
を行うためのコンピュータ実行可能命令を記憶する１つまたは複数の非一時的コンピュータ可読媒体。
【請求項１４】
同じコードをもつ複数のＧＮＳＳ信号から所望のＧＮＳＳ信号を分離するための装置であって、前記装置は、
前記複数のＧＮＳＳ信号を受信するための手段、ここにおいて、前記複数のＧＮＳＳ信号が前記所望のＧＮＳＳ信号を含む、と、
前記受信された複数のＧＮＳＳ信号をダウンコンバートされた信号に処理するための手段、ここにおいて、前記ダウンコンバートされた信号が前記所望のＧＮＳＳ信号よりも低い周波数を有し、ここにおいて、前記ダウンコンバートされた信号が、非０周波数に関連する第１のチャネルを含む、と、
オフセットされたダウンコンバートされた信号を作成するために前記第１のチャネルの分数に対応するオフセット周波数だけ前記第１のチャネルをオフセットするように、前記ダウンコンバートされた信号を処理するための手段と、
前記オフセット周波数に基づいて前記オフセットされたダウンコンバートされた信号から前記所望のＧＮＳＳ信号を決定するための手段と、
を備える、装置。
【請求項１５】
前記決定することは、
前記オフセットされたダウンコンバートされた信号を逆拡散するための手段、ここにおいて、前記オフセットされたダウンコンバートされた信号が、前記第１のチャネルに関連するエイリアス化信号を含む、と、
前記オフセット周波数に基づいて前記エイリアス化信号をフィルタで除去することによって前記エイリアス化信号を除去するための手段と、をさらに備える、請求項１４に記載の装置。
【手続補正２】
【補正対象書類名】明細書
【補正対象項目名】０１２２
【補正方法】変更
【補正の内容】
【０１２２】
[0132]本開示の技法は、ワイヤレスハンドセット、集積回路（ＩＣ）またはＩＣのセット（たとえば、チップセット）を含む、多種多様なデバイスまたは装置で実装され得る。本開示では、開示する技法を実行するように構成されたデバイスの機能的態様を強調するために様々な構成要素、モジュール、またはユニットについて説明したが、それらの構成要素、モジュール、またはユニットを、必ずしも異なるハードウェアユニットによって実現する必要があるとは限らない。むしろ、上記で説明したように、様々なユニットは、コーデックハードウェアユニット中で組み合わせられるか、またはコンピュータ可読媒体に記憶された好適なソフトウェアおよび／またはファームウェアとともに、上記で説明した１つまたは複数のプロセッサを含む、相互動作可能なハードウェアユニットの集合によって提供され得る。
以下に、本願の出願当初の特許請求の範囲に記載された発明を付記する。
［Ｃ１］
同じコードをもつ複数のＧＮＳＳ信号から所望のＧＮＳＳ信号を分離するための方法であって、前記方法は、
モバイルデバイスによって前記複数のＧＮＳＳ信号を受信すること、ここにおいて、前記複数のＧＮＳＳ信号が前記所望のＧＮＳＳ信号を含む、と、
前記受信された複数のＧＮＳＳ信号をダウンコンバートされた信号に処理すること、ここにおいて、前記ダウンコンバートされた信号が前記所望のＧＮＳＳ信号よりも低い周波数を有し、ここにおいて、前記ダウンコンバートされた信号が、非０周波数に関連する第１のチャネルを含む、と、
オフセットされたダウンコンバートされた信号を作成するために前記第１のチャネルの分数に対応するオフセット周波数だけ前記第１のチャネルをオフセットするように、前記ダウンコンバートされた信号を処理することと、
前記オフセット周波数に基づいて前記オフセットされたダウンコンバートされた信号から前記所望のＧＮＳＳ信号を決定することと、
を備える、方法。
［Ｃ２］
前記決定することは、
前記オフセットされたダウンコンバートされた信号を逆拡散すること、ここにおいて、前記オフセットされたダウンコンバートされた信号が、前記第１のチャネルに関連するエイリアス化信号を含む、と、
前記オフセット周波数に基づいて前記エイリアス化信号をフィルタで除去することによって前記エイリアス化信号を除去することと、
をさらに備える、Ｃ１に記載の方法。
［Ｃ３］
前記第１のチャネルが正の周波数であり、前記ダウンコンバートされた信号が０ヘルツまたはその近くを中心とし、前記ダウンコンバートされた信号が、負の周波数に関連する第２のチャネルをさらに含み、前記第１のチャネルをオフセットすることは、前記第１のチャネルの中心が前記第２のチャネルの中心からオフセットされることとなる、Ｃ２に記載の方法。
［Ｃ４］
前記第１のチャネルに関連する前記エイリアス化信号の前記中心と、前記第２のチャネルに関連する所望のＧＮＳＳ信号の前記中心とが、前記オフセット周波数に基づいてオフセットされる、Ｃ３に記載の方法。
［Ｃ５］
前記第１のチャネルが負の周波数であり、前記ダウンコンバートされた信号が０ヘルツまたはその近くを中心とし、前記ダウンコンバートされた信号が、正の周波数に関連する第２のチャネルをさらに含み、前記第１のチャネルをオフセットすることは、前記第１のチャネルの前記中心が前記第２のチャネルの前記中心からオフセットされることとなる、Ｃ２に記載の方法。
［Ｃ６］
前記第１のチャネルに関連する前記エイリアス化信号の前記中心と、前記第２のチャネルに関連する所望のＧＮＳＳ信号の前記中心とが、前記オフセット周波数に基づいてオフセットされる、Ｃ５に記載の方法。
［Ｃ７］
前記オフセット周波数だけ前記第１のチャネルをオフセットするための前記ダウンコンバートされた信号の前記処理が、部分的にデジタル信号プロセッサまたは汎用プロセッサによって行われる、Ｃ１に記載の方法。
［Ｃ８］
前記オフセット周波数が前記第１のチャネルの１／４である、Ｃ１に記載の方法。
［Ｃ９］
前記オフセット周波数が前記第１のチャネルの３／４である、Ｃ１に記載の方法。
［Ｃ１０］
前記オフセット周波数が前記第１のチャネルの１／８である、Ｃ１に記載の方法。
［Ｃ１１］
Ｎが整数であり、Ｃｈａｎｎｅｌ＿Ｓｐａｃｉｎｇが、前記第１のチャネルに関連するチャネル間隔であり、前記オフセット周波数が
オフセット周波数＝（１／４＋Ｎ＊１／２）＊Ｃｈａｎｎｅｌ＿Ｓｐａｃｉｎｇ
である、Ｃ１に記載の方法。
［Ｃ１２］
前記オフセット周波数が、前記第１のチャネルに関連する１／２チャネルの倍数の分数オフセットである、Ｃ１に記載の方法。
［Ｃ１３］
同じコードをもつ複数のＧＮＳＳ信号から所望のＧＮＳＳ信号を分離するためのデバイスであって、前記デバイスは、
メモリと、
前記複数のＧＮＳＳ信号を受信すること、ここにおいて、前記複数のＧＮＳＳ信号が前記所望のＧＮＳＳ信号を含む、と、
前記受信された複数のＧＮＳＳ信号をダウンコンバートされた信号に処理すること、ここにおいて、前記ダウンコンバートされた信号が前記所望のＧＮＳＳ信号よりも低い周波数を有し、ここにおいて、前記ダウンコンバートされた信号が、非０周波数に関連する第１のチャネルを含む、と、
を行うための１つまたは複数の無線周波数（ＲＦ）受信機と、
オフセットされたダウンコンバートされた信号を作成するために前記第１のチャネルの分数に対応するオフセット周波数だけ前記第１のチャネルをオフセットするように、前記ダウンコンバートされた信号を処理することと、
前記オフセット周波数に基づいて前記オフセットされたダウンコンバートされた信号から前記所望のＧＮＳＳ信号を決定することと、
を行うように構成された１つまたは複数のプロセッサと、
を備える、デバイス。
［Ｃ１４］
前記１つまたは複数のプロセッサが、
前記オフセットされたダウンコンバートされた信号を逆拡散すること、ここにおいて、前記オフセットされたダウンコンバートされた信号が、前記第１のチャネルに関連するエイリアス化信号を含む、と、
前記オフセット周波数に基づいて前記エイリアス化信号をフィルタで除去することによって前記エイリアス化信号を除去することと、
を行うようにさらに構成された、Ｃ１３に記載のデバイス。
［Ｃ１５］
前記第１のチャネルが正の周波数であり、前記ダウンコンバートされた信号が０ヘルツまたはその近くを中心とし、前記ダウンコンバートされた信号が、負の周波数に関連する第２のチャネルをさらに含み、前記第１のチャネルをオフセットすることは、前記第１のチャネルの中心が前記第２のチャネルの中心からオフセットされることとなる、Ｃ１４に記載のデバイス。
［Ｃ１６］
前記第１のチャネルに関連する前記エイリアス化信号の前記中心と、前記第２のチャネルに関連する所望のＧＮＳＳ信号の前記中心とが、前記オフセット周波数に基づいてオフセットされる、Ｃ１５に記載のデバイス。
［Ｃ１７］
前記第１のチャネルが負の周波数であり、前記ダウンコンバートされた信号が０ヘルツまたはその近くを中心とし、前記ダウンコンバートされた信号が、正の周波数に関連する第２のチャネルをさらに含み、前記第１のチャネルをオフセットすることは、前記第１のチャネルの前記中心が前記第２のチャネルの前記中心からオフセットされることとなる、Ｃ１４に記載のデバイス。
［Ｃ１８］
前記第１のチャネルに関連する前記エイリアス化信号の前記中心と、前記第２のチャネルに関連する所望のＧＮＳＳ信号の前記中心とが、前記オフセット周波数に基づいてオフセットされる、Ｃ１７に記載のデバイス。
［Ｃ１９］
前記１つまたは複数のＲＦ受信機が局部発振器を含み、前記ダウンコンバートされた信号への前記受信された複数のＧＮＳＳ信号の前記処理が、部分的に、前記所望のＧＮＳＳ信号に等しい周波数をもつ前記局部発振器によって行われる、Ｃ１３に記載のデバイス。
［Ｃ２０］
前記１つまたは複数のプロセッサが１つまたは複数のデジタル信号プロセッサを含む、Ｃ１３に記載のデバイス。
［Ｃ２１］
前記オフセット周波数が前記第１のチャネルの１／４である、Ｃ１３に記載のデバイス。
［Ｃ２２］
前記オフセット周波数が前記第１のチャネルの３／４である、Ｃ１３に記載のデバイス。
［Ｃ２３］
前記オフセット周波数が前記第１のチャネルの１／８である、Ｃ１３に記載のデバイス。
［Ｃ２４］
Ｎが整数であり、Ｃｈａｎｎｅｌ＿Ｓｐａｃｉｎｇが、前記第１のチャネルに関連するチャネル間隔であり、前記オフセット周波数が
オフセット周波数＝（１／４＋Ｎ＊１／２）＊Ｃｈａｎｎｅｌ＿Ｓｐａｃｉｎｇ
である、Ｃ１３に記載のデバイス。
［Ｃ２５］
前記オフセット周波数が、前記第１のチャネルに関連する１／２チャネルの倍数の分数オフセットである、Ｃ１３に記載のデバイス。
［Ｃ２６］
同じコードをもつ複数のＧＮＳＳ信号から所望のＧＮＳＳ信号を分離するために、
１つまたは複数のＲＦモジュールによって前記複数のＧＮＳＳ信号を受信すること、ここにおいて、前記複数のＧＮＳＳ信号が前記所望のＧＮＳＳ信号を含む、と、
前記１つまたは複数のＲＦモジュールによって、前記受信された複数のＧＮＳＳ信号をダウンコンバートされた信号に処理すること、ここにおいて、前記ダウンコンバートされた信号が前記所望のＧＮＳＳ信号よりも低い周波数を有し、ここにおいて、前記ダウンコンバートされた信号が、非０周波数に関連する第１のチャネルを含む、と、
１つまたは複数のプロセッサによって、オフセットされたダウンコンバートされた信号を作成するために前記第１のチャネルの分数に対応するオフセット周波数だけ前記第１のチャネルをオフセットするように、前記ダウンコンバートされた信号を処理することと、
前記１つまたは複数のプロセッサによって、前記オフセット周波数に基づいて前記オフセットされたダウンコンバートされた信号から前記所望のＧＮＳＳ信号を決定することと、
を行うためのコンピュータ実行可能命令を記憶する１つまたは複数の非一時的コンピュータ可読媒体。
［Ｃ２７］
前記１つまたは複数のプロセッサによって、前記オフセットされたダウンコンバートされた信号を逆拡散すること、ここにおいて、前記オフセットされたダウンコンバートされた信号が、前記第１のチャネルに関連するエイリアス化信号を含む、と、
前記１つまたは複数のプロセッサによって、前記オフセット周波数に基づいて前記エイリアス化信号をフィルタで除去することによって前記エイリアス化信号を除去することと、
を行うためのコンピュータ実行可能命令をさらに備える、Ｃ２６に記載の１つまたは複数のコンピュータ可読媒体。
［Ｃ２８］
前記第１のチャネルが正の周波数であり、前記ダウンコンバートされた信号が０ヘルツまたはその近くを中心とし、前記ダウンコンバートされた信号が、負の周波数に関連する第２のチャネルをさらに含み、前記第１のチャネルをオフセットすることは、前記第１のチャネルの中心が前記第２のチャネルの中心からオフセットされることとなる、Ｃ２７に記載の１つまたは複数のコンピュータ可読媒体。
［Ｃ２９］
前記第１のチャネルに関連する前記エイリアス化信号の前記中心と、前記第２のチャネルに関連する所望のＧＮＳＳ信号の前記中心とが、前記オフセット周波数に基づいてオフセットされる、Ｃ２８に記載の１つまたは複数のコンピュータ可読媒体。
［Ｃ３０］
前記第１のチャネルが負の周波数であり、前記ダウンコンバートされた信号が０ヘルツまたはその近くを中心とし、前記ダウンコンバートされた信号が、正の周波数に関連する第２のチャネルをさらに含み、前記第１のチャネルをオフセットすることは、前記第１のチャネルの前記中心が前記第２のチャネルの前記中心からオフセットされることとなる、Ｃ２７に記載の１つまたは複数のコンピュータ可読媒体。
［Ｃ３１］
前記第１のチャネルに関連する前記エイリアス化信号の前記中心と、前記第２のチャネルに関連する所望のＧＮＳＳ信号の前記中心とが、前記オフセット周波数に基づいてオフセットされる、Ｃ３０に記載の１つまたは複数のコンピュータ可読媒体。
［Ｃ３２］
前記１つまたは複数のＲＦモジュールが局部発振器を含み、前記ダウンコンバートされた信号への前記受信された複数のＧＮＳＳ信号の前記処理が、部分的に、前記所望のＧＮＳＳ信号に等しい周波数をもつ前記局部発振器によって行われる、Ｃ２６に記載の１つまたは複数のコンピュータ可読媒体。
［Ｃ３３］
前記オフセット周波数が前記第１のチャネルの１／４である、Ｃ２６に記載の１つまたは複数のコンピュータ可読媒体。
［Ｃ３４］
前記オフセット周波数が前記第１のチャネルの３／４である、Ｃ２６に記載の１つまたは複数のコンピュータ可読媒体。
［Ｃ３５］
前記オフセット周波数が前記第１のチャネルの１／８である、Ｃ２６に記載の１つまたは複数のコンピュータ可読媒体。
［Ｃ３６］
Ｎが整数であり、Ｃｈａｎｎｅｌ＿Ｓｐａｃｉｎｇが、前記第１のチャネルに関連するチャネル間隔であり、前記オフセット周波数が
オフセット周波数＝（１／４＋Ｎ＊１／２）＊Ｃｈａｎｎｅｌ＿Ｓｐａｃｉｎｇ
である、Ｃ２６に記載の１つまたは複数のコンピュータ可読媒体。
［Ｃ３７］
前記オフセット周波数が、前記第１のチャネルに関連する１／２チャネルの倍数の分数オフセットである、Ｃ２６に記載の１つまたは複数のコンピュータ可読媒体。
［Ｃ３８］
同じコードをもつ複数のＧＮＳＳ信号から所望のＧＮＳＳ信号を分離するための装置であって、前記装置は、
前記複数のＧＮＳＳ信号を受信するための手段、ここにおいて、前記複数のＧＮＳＳ信号が前記所望のＧＮＳＳ信号を含む、と、
前記受信された複数のＧＮＳＳ信号をダウンコンバートされた信号に処理するための手段、ここにおいて、前記ダウンコンバートされた信号が前記所望のＧＮＳＳ信号よりも低い周波数を有し、ここにおいて、前記ダウンコンバートされた信号が、非０周波数に関連する第１のチャネルを含む、と、
オフセットされたダウンコンバートされた信号を作成するために前記第１のチャネルの分数に対応するオフセット周波数だけ前記第１のチャネルをオフセットするように、前記ダウンコンバートされた信号を処理するための手段と、
前記オフセット周波数に基づいて前記オフセットされたダウンコンバートされた信号から前記所望のＧＮＳＳ信号を決定するための手段と、
を備える、装置。
［Ｃ３９］
前記決定することは、
前記オフセットされたダウンコンバートされた信号を逆拡散するための手段、ここにおいて、前記オフセットされたダウンコンバートされた信号が、前記第１のチャネルに関連するエイリアス化信号を含む、と、
前記オフセット周波数に基づいて前記エイリアス化信号をフィルタで除去することによって前記エイリアス化信号を除去するための手段と、をさらに備える、Ｃ３８に記載の装置。
［Ｃ４０］
前記第１のチャネルが正の周波数であり、前記ダウンコンバートされた信号が０ヘルツまたはその近くを中心とし、前記ダウンコンバートされた信号が、負の周波数に関連する第２のチャネルをさらに含み、前記第１のチャネルをオフセットすることは、前記第１のチャネルの中心が前記第２のチャネルの中心からオフセットされることとなる、Ｃ３９に記載の装置。
［Ｃ４１］
前記第１のチャネルに関連する前記エイリアス化信号の前記中心と、前記第２のチャネルに関連する所望のＧＮＳＳ信号の前記中心とが、前記オフセット周波数に基づいてオフセットされる、Ｃ４０に記載の装置。
［Ｃ４２］
前記第１のチャネルが負の周波数であり、前記ダウンコンバートされた信号が０ヘルツまたはその近くを中心とし、前記ダウンコンバートされた信号が、正の周波数に関連する第２のチャネルをさらに含み、前記第１のチャネルをオフセットすることは、前記第１のチャネルの前記中心が前記第２のチャネルの前記中心からオフセットされることとなる、Ｃ３９に記載の装置。
［Ｃ４３］
前記第１のチャネルに関連する前記エイリアス化信号の前記中心と、前記第２のチャネルに関連する所望のＧＮＳＳ信号の前記中心とが、前記オフセット周波数に基づいてオフセットされる、Ｃ４２に記載の装置。
［Ｃ４４］
前記ダウンコンバートされた信号への前記受信された複数のＧＮＳＳ信号の前記処理が、部分的に、前記所望のＧＮＳＳ信号に等しい周波数を生成するための手段によって行われる、Ｃ３８に記載の装置。
［Ｃ４５］
前記オフセット周波数が前記第１のチャネルの１／４である、Ｃ３８に記載の装置。
［Ｃ４６］
前記オフセット周波数が前記第１のチャネルの３／４である、Ｃ３８に記載の装置。
［Ｃ４７］
前記オフセット周波数が前記第１のチャネルの１／８である、Ｃ３８に記載の装置。
［Ｃ４８］
Ｎが整数であり、Ｃｈａｎｎｅｌ＿Ｓｐａｃｉｎｇが、前記第１のチャネルに関連するチャネル間隔であり、前記オフセット周波数が
オフセット周波数＝（１／４＋Ｎ＊１／２）＊Ｃｈａｎｎｅｌ＿Ｓｐａｃｉｎｇ
である、Ｃ３８に記載の装置。
［Ｃ４９］
前記オフセット周波数が、前記第１のチャネルに関連する１／２チャネルの倍数の分数オフセットである、Ｃ３８に記載の装置。